(57)【要約】【課題】従来のフックを鉛直上に取り付けた服飾品用ハンガーは、衣料を平面的にしか陳列できず、マネキン等を模ったハンガーではかさばって手に持ちずらく、ハンガーに掛けたままの服飾品を手に持って身体に当てて購入を検討するとき、顔に対してフックが邪魔になり、実際に装着したときとは異なる位置に当てる他なかった。【解決手段】人体の第７頚椎辺りから肩関節への横向きの傾斜と、第７頚椎辺りから鎖骨への前向きの傾斜を同時に模する位置にハンガー本体を置いて、その状態を保とうとするときに生ずる回転運動に対して、反作用して力が釣り合うベクトル上にハンガーのフックが位置するようにハンガーのフックを取り付けるか、または、一体成形する。このときハンガーのフックは、ハンガー本体を垂直に見て前方に傾いている。【選択図】図０１
2009279407.tif 000002
【特許請求の範囲】
【請求項１】
人体の第７頚椎辺りから肩関節への横向きの傾斜と、第７頚椎辺りから鎖骨への前向きの傾斜を同時に模する位置にハンガー本体を置いて、その状態を保とうとするときに生ずる回転運動に対して、反作用して力が釣り合うベクトル上にハンガーのフックが位置するようにハンガーのフックを取り付けた、服飾品用ハンガー。
【請求項２】
ハンガーのフックを一体成形した、請求項１の服飾品用ハンガー。
【発明の詳細な説明】
【技術分野】
【０００１】  本発明は、フックを取り付けるか一体成形した服飾品用ハンガーに関し、主に上半身に着用する衣料を陳列する際に用いるハンガーに関するものである。
【背景技術】
【０００２】  従来、ハンガー本体を垂直に保つよう、ハンガーのフックを鉛直上に取り付けた服飾品用ハンガーがあり、主に上半身に着用する衣料を陳列する際に用いるハンガーでは肩傾斜を付け、肩先に厚みを出したものがあった。【０００３】  また、衣料を立体的に見せて陳列する場合に用いる人体の模型として、人台やトルソ、またはマネキンがあり、それらのものを軽量かつ単純化し、鉛直上にフックを取り付けた衣料を陳列する際に用いるハンガーがあった。
【発明の概要】
【発明が解決しようとする課題】
【０００４】  これには次のような欠点があった。衣料は布を平面で裁断し、立体でドレーピングして制作する。すなわち本来、人が着用するため立体にデザインされたもであるにもかかわらず、従来からあるフックを鉛直上に取り付けたハンガーでは、衣料を平面的に陳列することしかできなかった。この場合において、肩傾斜を付け、肩先に厚みを出すのは、型崩れを防ぐことを主目的としたものであるため、購入を検討する際、特に重視される前方からの見た目において全体的に潰れて平坦に見えてしまい、実際に着用した場合とは印象が異なることもたびたびであった。すなわち保管収納することを主目的としたハンガーと機能面での明確な差別化はなかった。【０００５】  一方、人台やトルソ、またはマネキンを模ったハンガーは、衣料を立体的に見せることができデザイン性をアピールして衣料の特徴や魅力を伝えることができるが、衣料を販売する側の店舗等においては、最小品揃えグループ毎に、明確な切り口で、商品に適した商品数量を決め、商品を選びやすく、限られたスペースにできるだけ豊富に陳列することが求められるため、人台やトルソ、またはマネキンを模ったハンガーでは厚みがあってかさばり、ハンガーラック等を利用して豊富に陳列するのには不向きなため、ピックアップした商品を展示して訴求効果を高めるため等、一部の商品やディスプレーに用いるだけで、ハンガーに掛けて陳列する大半の商品は、従来からある通常のハンガーを用いて平面的に陳列していた。そのため、ディスプレーした商品は陳列するだけでも特徴や魅力が伝わりやすいが、従来からある通常のハンガーを用いて平面的に陳列した場合は特徴や魅力が十分には伝わらないため、販売員が事前に試着をして得た商品知識をもとに、陳列時と着用時での印象の違いを購入者に説明したり、別に用意した上半身だけのトルソに着せ替えて見せるなど、商品の特徴や魅力を伝えるための工夫をする必用があった。【０００６】  また、購入者の側にとっては、商品を比較検討するため、衣料をハンガーに掛けたままで手に持って眺めたり、身体に当てて試したりする場合には、人台やトルソ、またはマネキンを模ったハンガーでは手に持ちづらく、特に身体に当てる場合には、厚みがあってかさばるため身体に密着させることができず違和感があるうえ、フックが鉛直上にあって顔に対して邪魔になり、フックを顔の左右どちらかによけ正中線からずらすか、衣料を斜めに傾けて身体に当てることとなり、着用時と同様な位置で衣料を見ることができなかった。その点、従来からある通常のハンガーにおいては、前身頃、後ろ身頃がともに平坦になるため身体に密着させることができ、ハンガー本体が薄手のものにおいては軽く手にも持ちやすかったが、フックが鉛直上にあるため顔に対して邪魔になる点においては同様であった。【０００７】  本発明が解決しようとする課題は、購入を検討する際、特に重視される前方からの見た目において衣料を立体的に見せることができ、しかもかさばらないため限られたスペースでも豊富に陳列することが可能で、衣料をハンガーに掛けたままで手に持って身体に当てる場合には前身頃、後ろ身頃がともに平坦になり身体に密着させることができるうえ、その際フックが顔に対して���魔にならず着用時と同様な正中線の位置で衣料を見ることができるようフックを取り付けるか一体成形した服飾品用ハンガーに関し、主に上半身に着用する衣料を陳列する際に用いるハンガーを提供することにある。
【課題を解決するための手段】
【０００８】  人体の第７頚椎辺りから肩関節への横向きの傾斜、すなわち肩傾斜と、第７頚椎辺りから鎖骨への前向きの傾斜、すなわち第７頚椎の棘突起の先端であるバックネックポイント、くび付根囲と僧帽筋上部前縁との交点であるサイドネックポイント、鎖骨内側端の上縁水平位と前正中線との交点であるフロントネックポイント、この３点を通るくび付根の線であるネックラインの前方斜め下方向への傾斜を同時に模する位置にハンガー本体を置いて係止している、すなわちその状態を保とうとするときに生じる回転運動、すなわち回転のモーメントに対して、反作用して力が釣り合う位置、すなわち回転のモーメントがゼロになり、回転せずに静止するベクトル上にハンガーのフックを取り付けるか、または、一体成形する。【０００９】  これは、ハンガーは鉛直上から吊るされるため、フックとハンガー本体を合わせたハンガー全体の重心が、ハンガーラック等のハンガーを引っ掛ける部分とフックとの接点、すなわちハンガー全体を支える支点の鉛直真下に来ると、回転のモーメントがゼロになることに因る。【００１０】  このとき、ハンガー本体を垂直に保つよう、ハンガーのフックを鉛直上に取り付けた従来からある通常のハンガー同様に、本案ハンガーの本体を垂直に起こしたときには、本案ハンガーのフックはハンガー本体に対して前方に傾き、倒れた状態になっている。
【発明の効果】
【００１１】  発明は以上のような構造で、本案ハンガーをハンガーラック等にフックを支点にして吊るしたときには、肩傾斜と、ネックラインの前方斜め下方向への傾斜を同時に模する位置にハンガー本体が係止しているため、斜めにくちの開いた柱体のごとき空間が生まれ、立体的に衣料を掛けて陳列することが可能となる。しかも、空間による立体であるため本案ハンガー同士は密着させてハンガーラック等に吊るすことが可能なため、隙間なく重ねて大量に陳列することができる。それゆえ衣料を掛けて陳列する際には、取り出しにくくならない程度に加減することで、商品としての衣料を豊富に陳列することが可能である。したがって本案ハンガーにおいての本体部そのものには、特に厚みを持たせる必要がなく、従来からある通常のハンガーのうち薄手のもの並みの材料で製造することが可能である。【００１２】  また、ハンガー本体部を持ってハンガーラック等からはずすことで重心の位置が変わり、容易に従来からある通常のハンガー同様の平面的な状態にでき、ハンガーに掛けたままの衣料を身体に密着させて当てることが可能となる。このとき、ハンガーのフックは身体に対して前方に傾き、倒れた状態になっているため顔に対して邪魔にならず、ハンガーに掛けたままの衣料を正中線上に当てて、着用時と同様な位置で見ることができる。
【発明を実施するための形態】
【００１３】  本案ハンガーはハンガーラック等に吊るし、衣料を立体的に見せることができる状態にした場合と、ハンガー本体部を持ってハンガーラック等からはずし掛かっている衣料を平面的な状態にした場合とで各部の役割が異なる。立体的に見せることができる状態図０３では、本体左右の各辺１２ｂ・２２ｂは人体の僧帽筋上部線維と三角筋上部一帯の役割をするため、中心から各先端に向けて徐々に幅を広くして、鎖骨の外側と肩甲骨の肩峰にあたる辺りから先で、上腕骨頭に沿うように収束させる。そのため、着用時と同様に幅のある面で衣料を支えることができる。一方、平面的な状態図０４では、本体左右の各辺１２ｃ・２２ｃはショルダラインにあたる端部分のみが衣料を支えろことになる。ショルダラインとは、人体を側面からみて上腕上部の幅を二等分する垂直線と、肩峰点、肩先点、前腋点、腋窩、後腋点を通る腕付根の線であるアームサイラインとの交点であるショルダポイントと、くび付根囲と僧帽筋上部前縁との交点であるサイドネックポイントを結ぶ線であり、線に支えられた衣料は幅のない平面的な状態となるため、身体に密着させることができる。しかもハンガーのフックを鉛直上に取り付けた従来からある通常のハンガーでは、平面的な状態で肩先に厚みを持たせるために各先端が中心部より前に出ていることがあるが、本案ハンガーにおいては、衣料を立体的に見せることができる状態での肩傾斜により、ハンガーの本体を垂直に起こしたときには、各先端が中心部よりやや後方に引っ込んだ状態になるため、より身体に密着させることができる。
【００１４】  本体底辺は立体的に見せることができる状態図０３では衣料の襟ぐりの前方部を支え、着用時と同様にくび付根に沿った状態に襟ぐりを保つ。ただし衣料デザインにおける襟ぐりにはさまざまな形状があり、デコルテ等のくびから胸元にかけて大きく開いた襟ぐりの場合には鎖骨の役割を果たす位置にだけ本体底辺１３ｂ・２３ｂがあっても、ショルダポイントに近い部分でしか衣料を支えないため、ハンガーのフックを鉛直上に取り付けた従来からある通常のハンガーに掛けた場合同様、襟ぐりの前方部はだらりと下がった状態となってしまう。そのような場合図０５、本体左右各辺１２ｄ・２２ｄの大胸筋起始にあたる部分１５・２５と乳頭の中心線を通る水平面と体表面との交線であるバストライン１６を大胸筋外側の体表に沿うように結んだ全体を本体底辺１７としてもよい。このとき本体底辺は、サイドネックポイントから乳頭の中心点であるバストポイントまでの体表に沿った長さである乳頭下がりを含む胸元一帯を広く支える枠となり、この枠に衣料の前身頃が覆い被さることで胸元の傾斜とともに襟ぐりを保つことが可能となる。一方、平面的な状態図０４では本体底辺１３ｃ・２３ｃは本体左右の各辺１２ｃ・２２ｃとほぼ同じ平面上に重なるため、前身頃、後ろ身頃がともに平坦になる。本体底辺は、さまざまな形状の襟ぐりに対応させたものを用意して着脱式にしてもよく、前出の底辺と組み合わせてもよい。着脱するやり方も任意である。本体底辺は、必用に応じて省いてもよい。
【００１５】  本案ハンガーのフックは、ハンガーラック等にフックを支点にして吊るしたときに、肩傾斜と、ネックラインの前方斜め下方向への傾斜を同時に模する位置で回転のモーメントがゼロになりハンガー本体が係止する角度に取り付ける。本案ハンガーのフックは、この取り付け角度に特徴があり、フックそのものは従来からあるフックを鉛直上に取り付けたハンガーのフックと同じものを利用することもでき、取り付けるやり方も任意である。また、本案ハンガーは衣料を掛けて陳列することを目的としているが、衣料にはさまざまな種類があり重量もまちまちであるため、衣料を掛けた状態でハンガーラック等にフックを支点にして吊るしたときに得られる全体の重心も衣料の重量によって変化する。そこで、衣料を掛けてから重心の位置を調節できるようフックを可変式にしてもよく、可変する方法も角度を変える方式図１０、位置を変える方式図１１、長さを変える方式図１２等どの方法を採用してもよく、組み合わせてもよい。可変するやり方、程度ともに任意である。その他、重りを用いて調整する方法を採用してもよく、重りを着脱するやり方、重りの形状ともに任意である。
【００１６】  本案ハンガーの本体各辺・底辺、フックともに任意の材料を採用できるし、組み合わせてもよい。各部の形状も丸みを帯びていても、角張っていても、凹凸があってもよく、組み合わせてもよい。
【図面の簡単な説明】
【００１７】
【図０１】  前方からの斜視図
【図０２】  後方からの斜視図
【図０３】  立体的に見せることができる状態での平面図
【図０４】  平面的な状態にした場合での平面図
【図０５】  乳頭下がり一帯の胸元を広く支える本体底辺の前方からの斜視図
【図０６】  立体的に見せることができる状態での正面図
【図０７】  平面的な状態にした場合での正面図
【図０８】  立体的に見せることができる状態での側面図
【図０９】  平面的な状態にした場合での側面図
【図１０】  フックを角度可変式にした場合の斜視図
【図１１】  フックを位置可変式にした場合の斜視図
【図１２】  フックを長さ可変式にした場合の斜視図
【符号の説明】
【００１８】１１・１１ａ・１１ｂ・１１ｃ・１１ｄ・１１ｅ・１１ｆ・１１ｇ・１１ｈ・１１ｉ・１１ｊ・１１ｋ  フック
１２・１２ａ・１２ｂ・１２ｃ・１２ｄ・１２ｅ・１２ｆ・１２ｇ・１２ｈ・１２ｉ  本体左辺
２２・２２ａ・２２ｂ・２２ｃ・２２ｄ・２２ｅ・２２ｆ・２２ｇ・２２ｈ・２２ｉ・２２ｊ・２２ｋ  本体右辺
１３・１３ａ・１３ｂ・１３ｃ・１３ｄ・１３ｅ・１３ｆ・１３ｇ・１３ｈ  左底辺
２３・２３ａ・２３ｂ・２３ｃ・２３ｄ・２３ｅ・２３ｆ・２３ｇ・２３ｈ・２３ｉ・２３ｊ  右底辺
１４・１４ａ・１４ｂ  ハンガーラック等の引っ掛ける部分とフックとの接点。
１５  左側の大胸筋起始にあたる部分
２５  右側の大胸筋起始にあたる部分
１６  バストラインにあたる部分
１７  乳頭下がり一帯の胸元を広く支える枠としての底辺
【図０１】
2009279407.tif 000003
【図０２】
2009279407.tif 000004
【図０３】
2009279407.tif 000005
【図０４】
2009279407.tif 000006
【図０５】
2009279407.tif 000007
【図０６】
2009279407.tif 000008
【図０７】
2009279407.tif 000009
【図０８】
2009279407.tif 000010
【図０９】
2009279407.tif 000011
【図１０】
2009279407.tif 000012
【図１１】
2009279407.tif 000013
【図１２】
2009279407.tif 000014